(57)【要約】本開示発明は、成分Ａ（例えば水素）とＢ（例えば二酸化炭素）を含む第１ガス混合物が、分離の第１製品がＡ成分中で濃縮されるように分離される    一方、成分Ｂは成分ＢとＣを含む第２ガス混合物を形成するために、置換パージ流内に含まれた第３ガス成分Ｃ（例えば空気、酸素濃縮空気又は酸素涸渇の空気）と混合されるようになっており、かつ成分Ａを含む第１製品内へ入る成分Ｃの、又は成分Ｃを含む第２ガス混合物内へ入る成分Ａの相互汚染を防止する備えを有しているガス分離装置を活用する固体酸化物燃料電池(SOFCs)に関する。本発明は燃料電池陽極排気から水素（成分Ａ）を濃縮するのに適用することができ、この場合、希薄な二酸化炭素（成分Ｂ）は陰極排気の酸素涸渇空気（成分Ｃとして）でパージングすることによって例えば大気へ捨てられる。
2006505095.tif 000002
【特許請求の範囲】
【請求項１】
電流発生システムにおいて、
陽極入口と陽極排気出口をもつ固体酸化物燃料電池と、陽極排気出口と陽極入口に流体連結されかつ陽極排気出口から排気ガスを受け取るため、吸着手段によって排気ガスから使用可能の燃料ガス分離しかつ濃縮するため、およびかかる濃縮された使用可能の燃料ガスを陽極入口へ送出するために作動する回転吸着モジュールを含むことを特徴とする電流発生システム。
【請求項２】
電流発生プロセスにおいて、
陽極入口と陽極排気出口をもつ固体酸化物燃料電池と、回転吸着モジュールを準備し、
陽極排気ガスを陽極排気出口から供給ガス混合物として回転吸着モジュールへ提供し、
使用可能の燃料ガスを陽極排気ガスから回転吸着モジュール内の
吸着手段によって分離して濃縮し、
かかる濃縮した使用可能の燃料ガスを陽極入口へ提供すること、
を含むことを特徴とするプロセス．
【発明の詳細な説明】
【技術分野】
【０００１】
本出願は吸着性ガス分離、特に回転圧力揺動吸着（PSA)、並びに燃料電池への応用、及びQuest Air Technologies’ のNo.09/591,275、09/808,715、10/039,940、及び60/351,798を含む関連特許出願に関するものである。これらの特許出願は参考として本文中に合体されるものである。
【０００２】
本開示発明はガス分離装置を活用する固体酸化物燃料電池(SOFCs)に関するものであり、このガス分離装置においては、成分A（例えば水素）とB（例えば二酸化炭素）を含む第１のガス分離混合物は、分離の第１の製品が成分A内で濃縮されるように、分離されるべきであり、一方、成分Bは、置換パージ流内に含まれた第三のガス成分C（例えば空気、酸素‐濃縮空気又は酸素‐涸渇空気）と混合されて、成分BとCを含む第２ガス混合物を形成するようにされ、その際成分Aを含む第１製品内に成分Cが入ったり又は成分Cを含む第２ガス混合物に成分Aが入ったりする相互汚染を防止する備えがなされている。本発明は燃料電池の陽極排気からの水素（成分A）の濃縮に適用することができ、その場合、希釈した二酸化炭素（成分B）は陰極排気で酸素‐涸渇空気（成分Cの如き）をパージングすることによって例えば大気へ排除される。
【背景技術】
【０００３】
燃料電池は環境に優しい電流源である。電力を生じるのに使用される高温度燃料電池の１型式は固体酸化物燃料電池(SOFC)である。このSOFCは水素ガス（又は蒸気リフォーミング(reforming)及び水性ガスシフト反応によって水素を発生するために陽極チャンネル内で反応する燃料ガス）の流れを受け入れるための陽極チャンネル、酸素ガスの流れを受け入れるための陰極チャンネル、および酸素イオンを伝導するセラミック膜でありかつ陽極チャンネルを陰極チャンネルから分離する固体電解質を含む。陰極チャンネル内の酸素は酸素イオンに解離し、この酸素イオンは電解質を横切って陽極チャンネル内の水素と反応して、電子の流れを発生する。水素が消耗するにつれて、一酸化炭素が直接酸化され又は蒸気によってシフトされて、追加の水素を生じる。二酸化炭素と水蒸気は燃料成分の酸化によって陽極チャンネル内で作られる。固体酸化物燃料電池の典型的な動作温度は約 500 °乃至約 1000 °Cである。
【０００４】
水素（例えば製油所又は化学的プロセスのオフ‐ガス(off-gases)から回収されたもの又は水の電気分解によって再生可能なエネルギーから生じたもの）が直接燃料として利用できる稀な場合を除いては、水素は適当な燃料処理システムによって化石燃料から作られなければならない。定置発電のためには、水素を、水素、一酸化炭素、二酸化炭素、蒸気、及び若干の未反応のメタンの混合物を含む“合成ガス”を作るために、蒸気リフォーミング又は部分的酸化によって天然ガスから作るのが好適である。水素が燃料電池陽極チャンネル内で消耗するにつれて、多くの一酸化炭素が水性ガスシフトによって蒸気と反応して、より多くの水素とより多くの二酸化炭素を作る。他の炭素質供給原料（例えばより重質の炭化水素、石炭、又はバイオマス）がまた、部分酸化、ガス化、又はオートサーマル（autothermal)リフォーミングによって“合成ガス”を造るために、酸素及び蒸気と反応させられることができる。また、燃料電池は外部で作られた合成ガス又は水素で動作させられることができる。
【０００５】
SOFCシステムの利点はそれらの高い動作温度が燃料電池と燃料処理システム間の密接なサーマルインテグーレイション(thermal integration)を容易になすことである。また、高温度は低温度燃料電池によって要求される貴金属触媒を排除することを可能にする。しかし、従来のSOFCシステムは、挑戦的な温度状況に直面しそして通常の動作条件の下で非常に高い温度で電池電圧が低下することによって不利なものとされた。
【０００６】
燃料の低い燃焼熱はその燃料を酸化することによって発生することができるエネルギー（反応のエンタルピー変化）を有利に限定する。理想的燃料電池によって発生することができる電気化学的エネルギーはしかし、エンタルピー変化より小さい反応の自由エネルギー変化である。エンタルピー変化と自由エネルギー変化間の差は、反応のエンタルピー変化に絶対温度を掛けた積である。この差は高温で広がり、従ってより高い温度の燃料電池は本質的に燃料エネルギーのより小さい部分(fraction)を高い効率で電力に変換する一方、燃料エネルギーのより大きい部分は、低い効率で熱力学ボトミングサイクル（例えば蒸気又はガスタービンプラント）によって電力に変換されなければならない熱として利用できるに過ぎない。
【０００７】
燃料電池陽極上へのリホーミング反応製品（二酸化炭素および蒸気）の蓄積は電気化学的反応を妨害し、そのため自由エネルギーが減少する。陰極上の酸素のより高い酸素分圧と、陽極上のより高い水素分圧が反応を前進させて、自由エネルギーを増す。不幸にして、この反応は陰極チャンネル中の酸素を涸渇させそして陽極チャンネル中の水素を涸渇させる一方、陽極チャンネル中の希釈剤としての二酸化炭素の背圧を急速に増す。それ故自由エネルギー変化は減少し、燃料積重ね体(stack)の電池電圧を直接減らす。これは該システムの電気効率を下げる一方、熱ボトミングサイクル(bottoming cycle)によってより低い効率で変換されなければならない熱を増す。
【０００８】
自由エネルギー変化は単純に、電池の起電力（“E”）と反応によってモル当たりの移転した電荷（“２F”）の積である。ここで、２のファクターは炭酸イオンの速度を表す。SOFCのための下記のネルンスト関係式は陽極と陰極のチャンネル中の電気化学的反応の分圧に対する起電力の上記の感度を示す。ここで、基準起電力（”Eo”)は、基準条件のすべての成分にかつ蒸気として水を用いた場合に適用されるものである。
【０００９】
【数１】
2006505095.tif 000003
【００１０】
吸着ガス分離システムは従来技術では、より高い燃料電池電圧E を得るように燃料電池内の反応物の分圧を操作するために考えられていた。
従来の既知の吸着プロセスによれば、成分 AとBを含む供給ガス混合物の成分Aを濃縮するために、成分Bをより容易に吸着しかつ成分Aをあまり容易に吸着しない吸着性材料が準備される。吸着性材料は吸着器又は吸着性ベッド内で流れチャンネルと接触する。ガス混合物がプロセスの供給ステップの間中に供給圧力と温度で吸着器の第１端に導入されると、成分Ｂは優先的に吸着され、そしてそれが成分Ｂを装填されるにつれて、成分A中で濃縮された第１製品が吸着器の第２端から送出される。次いで吸着器は、該プロセスを周期的に繰り返すように逆流内で成分Bを吸着するために再生される。
【００１１】
吸着性材料の再生は、従来技術に従って、プレッシャースゥイング(pressure swing)、置換パージ、熱スゥイング、又はそれらの組合せを含む代わりの方策によって達成することができる。また、二酸化炭素を装填されたカーボン吸着剤の再生はいわゆる電気スゥイング吸着で電流を適用することによって達成することができることが主張されている。
【００１２】
現存の圧力スゥイング吸着 (PSA)システム又は真空圧力スゥイング吸着システム (VPSA)では、吸着器と接触するガスの全圧力は供給ステップの後で(圧力スゥイング）減少し、かくして吸着剤と接触する成分Bの分圧を減らし、そして既に濃縮された成分Aの還流の小部分(fraction)で一掃することによって排出されるべき成分Ｂを吸着する。吸着器内のガス混合物の全圧力は上昇させられる一方、吸着器内のガス流はその第１端から第２端へ差し向けられ、同時に全圧力は再生ステップで減らされる一方、吸着器内のガス流は第２端から第１端へ向けて戻される。その結果、“軽い”製品（より容易に吸着される成分内で涸渇しそしてあまり容易に吸着されない成分Ａ中で濃縮されるガスの小部分)が吸着器の第２端から放出され、そして“重い”製品（より強く吸着される成分Ｂ内で濃縮されたガスの小部分）が吸着器の第１端から排出される。
【００１３】
代案として、全圧力は再生ステップでほぼ一定を保つことができる一方、成分Ｂは第３の好適にはあまり容易に吸着されない成分Ｃによって脱着(desorbed)され、この成分は供給ガス混合物の一部ではなく、この成分Ｃは逆流をなして吸着器の第２端から第１端へ戻され（置換パージ）、かくして吸着剤を含む成分Ｂの分圧を減らし、そして置換された成分Ｂを吸着器の第１端から排出する。その結果、第１の又は“軽い”製品（より容易に吸着される成分Ｂ内で涸渇しそしてあまり容易に吸着されない成分Ａ中で濃縮されるガスの小部分)が吸着器の第２端から放出され、そしてより“重い”製品（より強く吸着される成分Ｂと置換成分Ｃを含むガス混合物）が吸着器の第１端から排出される。
【００１４】
再生はまた、すべてのガス種の吸着アフィニティー(affinity)を減らすよう吸着剤の温度（温度スゥイング）を周期的に上昇させることによって達成でき、その結果、成分Ｂの吸着生じ、前に濃縮された成分Ａの還流(reflux)として又は成分Ｃで置換パージすることによって、パージ流により逆流内でパージすることができる。熱スゥイング吸着 (TSA)は周期的に吸着剤のバルク(bulk)加熱及び冷却を要求し、従って比較的低いサイクル周波数に制限される。加熱ステップは吸着器の第２端へ入る前にパージ流を加熱することによって達成することができる。
【００１５】
従来技術によれば、圧力スゥイングとパージ置換は組み合わされ、そのため置換パージ再生ステップは供給圧力より低い全圧力で達成することができる。熱スゥイング吸着プロセスの動作に必要な比較的低いサイクル周波数が容認されるとき、熱スゥイングは圧力スゥイング及び/又は置換パージ再生方策と組み合わされることができる。現在の情況の置換パージプロセスの特質は、置換パージ流が外部から提供され、そして通常のPSA又はTSAプロセスとは違って、分離すべき供給ガス混合物内に含まれていない成分Ｃを含むことにある。上記通常のプロセスの場合には、パージ流は典型的には、分離を受ける供給ガス混合物の小部分として内部的に得られる。
【００１６】
以前は、置換パージプロセスの適用は成分Ａ、Ｂ及びＣの適合性によって制限された。全分離が達成されるという情況内ですら、若干の親密な混合は、吸着器内での軸方向分散、ガスキャビティ内の流体ホールドアップ(holdup)、及び流体シールと弁を横切って生じる漏れに起因して、起こるだろう。成分ＢとＣはプロセスの意図した成果として混合されるのでこれらの成分は明らかに適合性をもたねばならないが、成分ＡとＣ間の相互汚染もこれらの成分の適合性を要求するために起こるだろう。
【００１７】
ＰＳＡは、水素と、二酸化炭素を夫々表す成分ＡとＢを用いた水素浄化に（例えば、一酸化炭素濃度を最小化するための水性ガスシフティングの後に、炭化水素供給原料の蒸気リフォーミング又はガス化によって生じた合成ガスから）広く適用される。この適用においては、空気（又は成分Ｃとして現れる酸素をもつ任意の酸素‐含有ガス）を用いる置換パージは、水素と酸素間の相互汚染という受け入れ難い出来事に依って従来技術においは実行不可能であった。
【００１８】
開示発明の要約
本開示発明はガス分離システムを高温燃料電池システムに適用する際の従来技術の幾つかの限界を取り扱うものである。
本開示発明の実施例では、発生システムの融通のきく動作を可能にする、電力及び/又は水素燃料及び/又は使用可能の熱の選択的発生を可能にするために適合する高温燃料電池電気発生システムが提供され、この燃料電池電気発生システムにおいては、発生システムは更に、“温室”ガスや他の環境に有害なガスの発出を軽減するための、及び燃料資源使用の持続性を増す作業の全効率を高めるための手段を組み込む。かかる実施例では、高温燃料電池はSOFCとすることができる。
【００１９】
開示されたシステムとプロセスの第１実施例によれば、少なくとも約 250 °Cの温度で動作する少なくとも１つの燃料電池を含む電流発生システム、水素ガス分離システム及び/又は圧縮機又は真空ポンプから選択された少なくとも１つの装置を含む酸素ガス送出システム、及び水素ガス分離システム、酸素ガス送出システム、又は燃料電池の熱のうちの少なくとも１つからエネルギーを回収するための手段を含む装置のための駆動システムが提供される。本開示発明による高温燃料電池を含む電流発生システムの第２実施例によれば、ガスタービンシステムが水素ガス分離システム又は酸素ガス送出システムに連結され、この場合ガスタービンシステムは水素ガス分離システム、酸素ガス送出システム又は燃料電池の熱のうちの少なくとも１つから回収されたエネルギーによって動力供給される。水素ガス分離システム又は酸素ガス送出システムは圧力スゥイング吸着モジュールの如き、吸着モジュールを含む。これらのシステムは固体酸素燃料電池に関連して使用するのに特に有用である。
【００２０】
本開示発明は高温燃料電池システム内で適用するガス分離に関し、更に詳細には、あまり容易に吸着されない第１成分（又は小部分）Aと、より容易に吸着される第２成分（又は小部分）Bを含む第１ガス混合物の吸着分離に関するものであり、吸着器の再生は、好適には圧力スゥイング又は熱スゥイング再生技術と組み合わせた置換パージによって達成される。置換パージ流は好適にはあまり容易に吸着されない第３の成分（又は小部分）Cを含み、この第３成分は再生ステップで成分Bと混合される。高温燃料電池システムに使用するガス分離システムの安全使用のための特別な要件は外部で放出された又は排出されたガス流内の成分AとB間の混合を避けるか又は徹底的に最小化する手段を含む。この要件は、燃料電池において、及び成分Aが燃焼可能の燃料でありそして成分Cがオキシダントであるときの如く、成分AとCが両立し難いか又は相互に化学的に反応するかも知れない他の用途において生じる。成分Cが下流プロセスにおけるAのためのシステムに有害に作用するかも知れない場合又はその逆の場合には、他の用途もまた考えることができる。
【００２１】
かくして成分AとＢを含む第１ガス混合物は分離されて、分離の第１製品は成分Aを濃縮される一方、成分Bは置換パージ流内に含まれる第３ガス成分Cと混合されて、成分CとBを含む第２ガス混合物を作り、そして成分Cが成分Aを含む第１製品内へ入る相互汚染を、又は成分Aが成分Cを含む第２ガス混合物内へ入る相互汚染を防止する備えを有している。かかる相互汚染は安全又は他の理由から回避され及び/又は少なくとも徹底的に最小化されるのが望ましいだろう。成分Cはパージガス流の主要な又は重要でない成分とすることができる。
【００２２】
本開示発明の装置の実施例はN個の吸着器が協働するセットを含み、各吸着器は吸着器の第１と第２の端間に流路をもち、この流路は吸着器内で吸着材料に接触し、成分Bは吸着材料によってあまり容易に吸着されない成分AおよびCと比べてより容易に吸着される。吸着器は或るサイクル期間Ｔを有する以下に記載する如きプロセスステップを有する周期的吸着プロセスを受けさせられ、N個の吸着器は、プロセスが実質上連続するよう互い違いの配列をなしているこのサイクルのステップを連続的に受けさせられる。
【００２３】
各吸着器のためのプロセスは供給ステップを含み、この供給ステップでは、第１ガス混合物が第１の全圧で吸着器の第１端に入れられる一方、成分A内で濃縮された第１の又は“軽い”製品ガスが、成分Bが吸着器内に流路の流れチャンネルを含む吸着剤上に優先的に吸着されるにつれて、吸着器の第２端から送出されるようになっている。このプロセスはまた、置換パージステップを含み、このステップでは、成分Cを含む置換パージガスが吸着器の１端に入れられる一方、第２ガス混合物（又は“重い”製品ガス）が、成分Bが吸着剤から脱着するにつれて、吸着器の他端から第２の全圧で放出されるようになっている。第１と第２の圧力は実質上同様であるか、又は第２圧力は分離プロセスのための圧力スゥイング成分を得るために、第１圧力より実質上小さくすることができる。また、成分の温度は変わり、例えば成分Cは、分離プロセスのための温度スゥイング成分を得るために、他の成分より高い高温にある。第１製品ガスと第２ガス混合物の圧力及び/又は温度が変わる場合、かかる変化は分離プロセスの全効率を増すために利用することができる。
【００２４】
ガス成分AとCが両立し難い態様では、置換パージステップの直前に、第１の“バッファー”ステップが、成分Aによる切迫した置換パージステップにおいて作られるべき第２ガス混合物（成分BとCを含む）の汚染を回避するために、前の供給ステップから吸着器内に蓄積された介在性のかつ吸着された成分Aを除くために、発明的な開示プロセスにおいて行われる。同様に、置換パージステップの直後に第２の“バッファー”ステップが、成分Cによって後続の供給ステップにおいて作られるべき第１の製品ガスの汚染を回避するため、前の供給パージステップから吸着器内に蓄積された介在性のかつ吸着された成分Cを除くために、開示された発明プロセスにおいて行われる。
【００２５】
本開示された発明の態様に従ったバッファーステップは、全圧を減らすことによって（例えば適度の真空によって）又はバッファーステップ中のバッファースイープ流の温度を変えることによって、例えば供給及び又はパージガスと比較してバッファーガスの温度を減らすことによって、随意に助けられるバッファースイープ流を導入することによって、置換パージの原理の応用を含む数個の仕方で成し遂げられる。典型的には、各バッファーステップは排出流を発生するだろう。この排出流内には成分AとCの若干の混合物があるかも知れず、かかるバッファーステップ排出流は、処分するために、更なる処理（例えばAとCのすべての未反応混合物を除去するための燃焼による）を受けるかも知れない。バッファーステップで置換パージを達成するためのバッファースイープガスはあまり容易に吸着されない任意のガス流として提供することができる。第１のバッファーステップ用の第１バッファースイープガスは好適には、未結合の成分Aを含むべきでなく、第２バッファーステップ用の第２バッファースイープガスは好適には、未結合の成分Cを含むべきでない。第１のバッファースイープガスは成分Cを含む置換パージガスとすることができるか、又はそれを含むとができる。第２バッファースイープガスは成分Aを含む第１ガス混合物とするか、又はそれを含むことができる。
【００２６】
各バッファーステップ用のバッファースイープガスは不活性ガスとするよう選択することができ、この不活性ガスは各流れの燃焼条件の下でバッファースイープガスの燃焼からリサイクルされた煙道ガスとなし、Aは第１バッファーステップ用のスイープガスから除去され、そしてCは第２バッファーステップ用のスイープガスから除去されるようにされる。代案として、A又はCを含まない任意の他の利用可能なあまり吸着されないガスはバッファースイープガスとして使用する。より高い温度を適用するためには、蒸気をバッファースイープガスとして使用することができる。
【００２７】
全圧は、バッファーステップの間に減らされることは、がパージされるべき成分A又はCの除去を補助するために、また各バッファーステップの前と後のプロセスステップの間に成分A又はCの如何なる漏れ（吸着器の外部への）をも避けるために望ましい。第１のバッファーステップ中に全圧が減少していると、脱着成分Bはその第１バッファーステップの間中成分Aのパージング(purging)を補助することができる。それ故、バッファーステップの間中、もし第２の圧力が実質上大気圧であるならば、適度のレベルの真空によって全圧を減らす小さい圧力スゥイングは、より大きな圧力スゥイングが成分Aの濃縮を補助するために適用されるかどうかには関係なく、バッファーステップの信頼性を高めるために使用することができる。同様に、小さい温度スゥイングは、関連する成分のパージングを補助するためそしてそれによってバッファーステップの信頼性を高めるため、又は代案として後続の吸着又は脱着ステップの効率を高めるためにバッファーステップの間中実行することができる。
【００２８】
もし第１の圧力が第２圧力よりずっと大きいならば、該プロセスは、供給ステップの後と第１バッファーステップの前の吸着器の減圧のために及び第２バッファーステップの後と次の供給ステップの前の吸着器の再加圧のために、周知の圧力スゥイング吸着プロセスで準備される如く、追加のステップを含むだろう。減圧ステップは同流及び/又は逆流のブローダウン(blowdown)ステップを含むことができる。再加圧ステップはバックフィル(backfill)及び供給加圧ステップを含むことができる。減圧と再加圧ステップは、圧力均等化ステップを受ける吸着器の第１と第２の端間に流体連通を提供することによって、位相はずれの吸着器間で行われる単一の又は複数の圧力均等化ステップによって達成することができる。
【００２９】
圧力スゥイングが現在開示されているプロセス中の置換パージと組み合わされる場合、PSA及びVPSAプロセスとして既知のステップの何れも、夫々置換パージステップの直前及び直後の第１と第２のバッファーステップによって特徴付けられる本プロセスに組み込むことができるということは、最重要な概念として、理解されるだろう。もし所望ならば、パージガスとして軽い製品ガス又は同流ブローダウンガスを用いるパージステップは置換パージステップに加えて（及びその前又は後に）行うことができる。同様に、温度スゥイングが現在開示されているプロセスで置換パージと組み合わされる場合、TSAプロセスとして既知のステップのいずれも、本プロセスが夫々置換パージステップの直前と直後の第１と第２のバッファーステップによって特徴付けられる場合、本プロセスに組み込まれることは理解されるだろう。
【００３０】
開示発明の１実施例によれば、これらのステップの間中成分AとCのロスを最小限としてバッファーステップを行うためには、成分AとC（及び任意のバッファースイープ成分D）は弱く吸着され、そして吸着器の数Nは比較的大きく、かくして吸着材料の在庫品は少なく、そのためバッファーステップはサイクル期間Tの小部分のみを占めることができるというのが望ましい。
【００３１】
本開示発明の１態様による装置の実施例は、各吸着器が連続して、供給ステップの完全サイクル、任意の減圧ステップ、第１バッファーステップ、置換パージステップ、第２のバッファーステップ、及び任意の再加圧ステップを行うために、各吸着器の第１端に連通する第１弁手段と第２端に連通する第２弁手段を含む。
【００３２】
当業者に既知の複式方向弁輪郭（例えばPSAシステムに使用される如きもの）は、本開示発明に従った装置実施例の吸着器に行き及びそれから出るガス流を制御するために使用することができる。開示発明の特定の実施例では好適な実施例用の回転分配弁は第１と第２の弁手段として使用される。かかる実施例では、N個の吸着器は好適には、第１と第２の弁面上で流体密封接触状に固定子と掛合した回転子内に１配列をなして取り付けられる。かかる実施例発明のガス分離装置は回転吸着モジュール（“RAM”）と称される。
【００３３】
開示したシステムとプロセスに使用するための回転吸着モジュールの実施例の回転子は、第２ガス成分と比較して流路内の第１ガス成分を優先的に吸着するために、吸着材料をその中に受け入れるための複数の流路を含む。このガス分離システムはまた第１ガス成分から第２ガス成分を分離するための流路を通るガス流を容易にするための回転モジュールに連結した圧縮機を含む。固定子は第１固定子弁面と、第２固定子弁面、および固定子弁面に開口する複数の機能区画を含む。機能区画はガス供給区画、軽ガス成分出口区画、及びバッファーガス区画を含む。“軽ガス”は第２のあまり容易に吸着されない成分内で濃縮された取り戻しガスを指す。これは典型的には、第２の弁手段を経て吸着器の第２端から取り戻される。しかし上述の回転モジュールの実施例で実施される本開示発明に従った或るプロセスでは、供給ガス混合物は第２弁手段を経て吸着器の第２端で吸着器ベッドに入ることができ、軽質製品ガスは第１端で取り戻される。同様に、かかるプロセスに合体された任意のバッファー又はパージステップはバッファー又はパージガスを１吸着器の第１又は第２端に入れることによって両方向で行うことができる。開示された回転モジュールが置換パージに加えて、実質的圧力を含むガス分離プロセスを利用して作動される場合、機能区画は、軽還流、ブローダウン、加圧、又は吸着器へ行く又はそれから来るガス分離プロセスの圧力スゥイング成分に関連する他のガス流を処理するため、軽還流出口及び戻り又は他の区画室を追加的に含む。任意のかかるガス流はまた、バッファー又はパージガス流に加えて、１吸着器からもう１つの吸着器へ、受け入れ吸着器を通して両方向に流れるために、第１と第２の固定子弁面へ開口する夫々の機能区画間に延びる流体連結手段によって移転させられることができる。かかる吸着器間のガス流の移転は、バッファーステップの始めに吸着器から追い出された製品流を捕捉することによって（これらの流れを大気へ排出する代わりに）、製品ガス成分（AとB）の回収を有効に高めるために、そしてバッファーステップを行うのに必要性なバッファーガスの容積を減らすために、例えば、バッファーガス流を吸着器間でリサイクルするために、利用することができる。これに加えて、本開示プロセスの或る実施例における後続の供給又はパージステップの始めに追い出されるバッファーガス流のリサイクルはバッファーステップの後に吸着器内に残っている残留バッファーガスの減少を可能にし、この残留バッファーガスは製品ガス流（製品成分AとB含む）に送出され、それによって製品ガス流の純度を増し、そして製品ガス成分がSOCFの燃料ループの如き下流システム又はプロセスを通してリサイクルされる場合、バッファーガス成分の如何なる蓄積をも減らすことになる。
【００３４】
回転吸着モジュールは高い動作温度でそれ自体作動することができる。例えば、吸着器の動作温度はほぼ周囲温度から約450 °Cの高温までの範囲に亘ることができ、供給ガス混合物と置換パージ及び/又はバッファー流間の回収又は再生熱交換によって簡単化される。回転吸着モジュールは流れチャンネルの長さに沿って或る温度勾配を保つよう作動され、その結果例えば吸着器の第１端の温度は吸着器の第２端の温度より高い。本文中で使用している用語の“吸着器の動作温度”は吸着器及び/又は吸着器ベッドの温度を通って流れるガスの温度を示す。
【００３５】
開示発明の他の装置の実施例では、弱く吸着される成分Aと、比較的強く吸着される成分Bと、追加的にもう１つの成分Eを含む供給ガス混合物の分離を可能にするよう適合した回転吸着モジュールが準備され、この成分Eは成分Bと同様に吸着されるか又は成分Bより強く吸着されるものであり、その場合成分Eと共同して濃縮された成分Aを送出しかつ成分Bを含む製品流から分離することが望まれる。回転吸着モジュールは上述した前のモジュールの実施例における如く、回転子と、固定子及び関連する機能区画を含み、そして追加的に回転子モジュール中の吸着器の第２の別のセットと、固定子弁面内に開口し、少なくとも１つの供給ガス区画および製品ガス出口区画を含む機能区画の関連する第２の別のセットを含む。吸着器の第２セット内の吸着材料は、成分AおよびBと比較して吸着成分Eを優先的に吸着するよう選択され、そのため成分A,B及びEを含む最初の供給ガスは、成分Eを分離するために、そして成分Eの実質上ない第２の供給ガス混合物を吸着器の第１セットに機能区画の第１セットを通して提供するために、前の実施例で説明した如く置換パージガス成分Cを使用して成分AとBを分離するために、最初に機能区画の第２セットを通して吸着器の第２セットへ入れられる。成分AとBの分離の後、成分A内で濃縮された結果として出来た製品ガスは、外部への送出と使用のために、濃縮された成分AとEを含む製品流を作るために、成分Eの脱着のために、吸着された成分Eを前もって装填されている吸着器の第２セットへ入れられる。上述の前のモジュールの実施例において説明した如く、成分AとCが両立し難い場合、バッファーガス成分Dが、置換パージステップの前と後に、吸着器べッドの第１セットから成分AとCの残りを一掃するために使用される。更に、上述の如く、追加のステップが、第１セットの吸着器間でかかるガス流を移転させるために、上述の随意の追加の機能区画を使用して、圧力スゥイング又は温度スゥイング成分を分離プロセスに与えるために、成分AとBを分離するために加えられる。同様に、追加ステップが、圧力又は温度スゥイング成分を分離するために与えるために、供給ガスから成分Eを分離するために加えられ、そして第１セットの吸着器間のかかるガス流の移転に必要なかかる追加の機能区画は固定子弁面に開口する第２セットの機能区画に含まれる。更に、上述の前の実施例における如く、吸着器を通るガス流は両方向に生じ、そして例えばバッファーガス流のリサイクルに備えるために、吸着器の第１と第２の端間で移転される。本装置の実施例では、吸着器の第１と第２のセット及び機能区画の対応するセットは、上述の吸着器セット間のガス流に必要な移転を許すのに適した任意の輪郭をなして、夫々回転子・固定子組立体内に所定場所を占めるよう配置される。可能な輪郭は同軸の環状配置を含み、吸着器の第１と第２のセットと機能区画は、共通の中心軸の回りに互いに径方向に離れた２つの別々の環状ユニットを形成するようになっている。
【００３６】
上記２つの装置の実施例の応用例は第１ガス混合物としての合成ガス混合物からの水素（成分A）の濃縮に関するものとして、開示されている。この場合希薄な二酸化炭素（成分B）が、典型的に直接大気中に捨てるために、酸素（成分C）を含む置換パージ流として空気又は好適には窒素‐濃縮空気を用いて、分離されるようになっている。本開示発明の装置は、空気が、低圧の合成流から二酸化炭素を抜き取るために置換パージ流として空気又は好適には窒素‐濃縮空気を使用し、かくして高圧に圧縮することなく、有用な水素濃縮を達成するために、痕跡量の二酸化炭素のみを含むという事実を活用する。水蒸気（成分E）が供給ガス中に実質的量で存在し、そして水蒸気を二酸化炭素及びパージガスと一緒に同じパージ流の排気中に送出するのが望ましい場合、１セットの吸着器をもつ吸着モジュールが使用され、そして吸着器中の吸着材料は典型的には、特に分離が高温で行われるような用途においては、かなりのレベルの水蒸気の存在下で二酸化炭素を分離するのに有効であるとして当業者に既知のものから、選択されるだろう。バッファーガス（成分Ｄ）は成分A又はCを含まない任意の利用可能なあまり吸着されないガスから選択され、このガスは例えば不活性ガスを含む成分A及びCと両立できる。この応用例において酸素と水素を含む燃料成分間の相互汚染を防止するための本開示装置のバッファーステップおよび他の特徴構成なしでは、水素濃縮吸着器をパージするために空気又は窒素‐濃縮空気を使用することは安全の観点から考えられないだろう。水蒸気（成分E）がかなりな量存在し、そして濃縮した水素製品と結合して水蒸気を送出するのが望ましい場合、吸着器の２セットをもつ吸着モジュールが使用され、この場合第１の吸着器セット内の吸着剤は典型的には、関心のある動作温度で水素上の二酸化炭素を優先的に吸着する当業者に既知のものから選択され、そして第２吸着器セット内の吸着剤は典型的には、関心のある動作温度で二酸化炭素と水素の両者上の水蒸気を優先的に吸着する既知のものから選択される。
【００３７】
周囲温度近くの合成供給ガス混合物を分離するための応用例では、適当な既知の吸着剤は、水蒸気を吸着するための活性アルミナ、アルミナゲル、シリカゲルを含み、そして活性カーボン、親水性ゼオライト（例えば、タイプ１３Xゼオライト及び当業者に既知の多くの他のゼオライト）、及び二酸化炭素を吸着するための疎水性ゼオライト（例えば、タイプYゼオライト又はシリカライト（silicalite))を含む。もし置換パージ流がそれ自体湿気を有するならば、活性カーボン及びYゼオライトの如きゼオライト又はシリカライトの如き比較的疎水性の吸着剤を使用するのが有利である。代案として、回転吸着モジュール内の吸着剤は、分離されるべきガス混合物の特定の成分について高温動作温度（例えば約250 °C乃至約400°C）を選ぶよう選択される。例えば、湿った合成ガスを分離するための上述の応用例では、吸着剤は水蒸気よりはむしろ二酸化炭素を選ぶよう選択される。当業者に既知のかかる適当な吸着剤にはアルカリ促進‐材料が含まれる。例示のアルカリ‐促進材料にはLi、Na、Ｋ、Cs、Rb、の如きアルカリ金属及び/又はCa、Sr、及びBaの如きアルカリ土類金属の陽イオンを含むものが含まれる。これらの材料は典型的には、水酸化物、炭酸塩、炭酸水素塩、酢酸塩、リン酸塩、硝酸塩、又はアルカリ又はアルカリ土類金属の有機酸塩化合物として準備される。かかる化合物はアルミナの如き任意の適当な基体上に析出させられる。高温作動用の特定材料の例には、炭酸カリウムを含浸したアルミナ、及び従来技術中で開示したように、炭酸カリウムで促進させられたハイド回転子ルサイト(hydrotalcite)が含まれる。
【００３８】
本開示発明に従って吸着器中に利用される吸着剤は通常の粒形状の吸着剤であるが、開示された装置とプロセスの実施例では、吸着剤材料が高い表面積の平行通路モノリス(monolith)ないに支持され、従ってプロセスはコンパクトな装置で比較的高いサイクル周波数（例えば、約 1秒乃至 10秒のサイクル期間）で行われ、有利であることが分かった。このコンパクトな装置は吸着剤の、従ってお互いに化学的反応をする成分ＡとＢの少ない目録(inventory)のみを含む。吸着剤は、シートを分離して流路を形成するためにシート間に間隔スペースをもつ薄い基質シート上に積層シート構造(“吸着剤積層体”）として支持されるのが特に有利であることが分かった。適当なかかる吸着剤積層体の選択と構造に関する更なる詳細は、本出願人の同時係属出願の米国特許出願第10/041,536号に見ることができるが、この出願は参考として本文に組み込まれるものとする。現在開示しているシステムとプロセス（置換パージ‐ベースのプロセスによるガス分離）に使用するためには、比較的低い空隙部分（約 10％乃至 50％の構造容積）と、比較的低い圧力降下（通常のビード付き吸着剤を合体する同様寸法をもつ吸着器と比較して）をもつ吸着剤積層構造が有利であることが分かった。上述の如き吸着剤積層構造の空隙部分、吸着剤充填密度および圧力降下特性は、通常のビード付き吸着剤を合体する吸着器の比較的固定した空隙部分（ほぼ 33 ％）とは違って、、積層シートの厚さ、積層構造を形成するのに使用される間隔手段を選択することによって、供給、パージ及びバッファーガス組成、選択された吸着剤材料、及びプロセス要件に従って変化することができる。更に、特に供給ガス成分Ｂが使用中の吸着剤物質上に幾分弱く吸着される場合か又はバッファーガスが成分ＡとＣの混合を防止するのに使用される場合、現在開示されているシステムとプロセスに使用するためには、約 20％乃至 30 ％の範囲内の空隙比と、比較的低い圧力降下をもつ吸着剤積層構造が特に有利であることが分かった。開示されるシステムとプロセスに使用する適当な吸着剤積層構造は、例えば約 100 乃至 300 ミクロン厚さの如きステンレス鋼メッシュの如き、薄い金属基質材料を使用して形成される。この鋼メッシュは吸着剤層間の間隔手段として、同様の金属メッシュ又はエキスパンデッドメタルフォイル材料と組み合わすことができる。かかる金属基質及びスペーサ材料から形成された積層構造は典型的には、比較的高い熱質量をもち、該装置の任意の機械的又は構造的欠陥の結果として起こる互いに反応する成分ＡとＣ間の偶発的反応を抑制するための有効な火炎防止器としての有効な機能を提供する。代案として、開示されたシステムとプロセスに使用する適当な吸着剤積層構造は、例えば約100 乃至 300 ミクロン厚さの繊維ガラスメッシュ又はスクリム(scrim)の如き、薄い複合基質材料を使用して形成され、この複合基質材料は吸着剤層間のセラミック印刷した又は他の非金属の間隔材料と組み合わされる。かかる積層構造は典型的には、比較的低い熱質量をもち、また吸着器内の急速な温度変化を容易にし、このことはガス分離プロセスを比較的高いサイクル速度で作動する温度スゥイング成分と合体させる開示されたシステムにおいて有利である。
【００３９】
現在開示されているシステムとプロセスの他の応用では、固体酸化物燃料電池（ＳＯＦＣ）から出る陽極排気ガスは二酸化炭素と、水素と一酸化炭素を含む未反応の燃料成分をもつ蒸気とを含む。SOFC発電設備もまた、窒素‐濃縮空気の陰極排気流としての又は酸素ＶＰＳＡユニットの真空排気からの利用可能な流れをもつ。この酸素ＶＰＳＡユニットは高い電圧効率と他の利益のために陰極入力へ濃縮酸素を送出するために使用される。かかるSOFCシステムでは、燃料電池陽極入口へ水素を分離、濃縮及びリサイクルすることによって、全効率を改良するのが望ましい。本開示発明の１実施例では、大部分の一酸化炭素を水素（成分Ａ）と二酸化炭素（成分Ｂ）へ変換するための水性ガスシフティングの後、随意的に水蒸気を少なくとも部分的に除去した後、SOFC陽極排気ガスは供給ガス混合物として回転吸着モジュール（上述の如き）へ導入される一方、窒素‐濃縮空気は置換パージガス（成分Ｃ）として使用される。もし置換パージガスとして使用される窒素‐濃縮空気が濃縮酸素をSOFC陰極へ提供する酸素ＶＰＳＡからの排気であるならば、単一の真空ポンプは、回転吸着モジュールの排気出口から第２排気ガス混合物（排気二酸化炭素と酸素‐涸渇空気を含む）を吸引し、かくして圧力スゥイング真空を酸素ＶＰＳＡと水素濃縮‐回転吸着モジュールの両者のために提供するために使用される。
【００４０】
工業用のＨ２ＰＳＡが、、高純度と高回収率（~ 80‐85 ％）を同時に達成するためにかなり高い圧力（> 10 バール）で通常行われる。供給ガス混合物は実質上供給圧力で水素（成分Ａ）を送出するために高圧で供給されなければならない一方、ほぼ１バールの排気分圧で二酸化炭素（成分Ｂ）を送出する。もし二酸化炭素が大気中へ排出されるならば、これは、二酸化炭素が約 0.00035 バールのその周囲分圧に希釈されるときに失われる混合の自由エネルギーに起因する大きなエネルギー損失を表す。本システムとプロセスは、二酸化炭素を低圧の合成ガス流から取り除き、かくして高圧に圧縮することなしに有用な水素濃縮を達成するために、空気又は好適には窒素‐濃縮空気を置換パージ流として使用するために、空気が痕跡量の二酸化炭素のみを含むという事実を利用するために使われる。かくして、自由エネルギーは二酸化炭素の希釈物から捕捉され、この希釈物は直接大気中へ排出される。
【００４１】
固体酸化物燃料電池の如き進歩した発電技術への応用では、全効率は本開示発明によるシステムとプロセスを実施することによって思いがけなく増すことができ、このシステムとプロセスは濃縮した水素をSOFC陽極へリサイクルすることを可能ならしめる一方、二酸化炭素を大気中へ希釈し、かくして二酸化炭素が１バールの基準圧力で送出される燃焼プロセスに通常帰せられるものを越えた余分の自由エネルギーを捕捉するために使用される。酸素と水素を含む燃料成分間の相互汚染を防止するために開示されたシステムとプロセスのバッファーステップと他の特徴構成なしで、水素‐濃縮吸着器をパージするために空気を使用すること又は窒素‐濃縮空気さえも使用することは、安全の懸念の観点から通常は予想されないだろう。
【００４２】
本開示発明の他の実施例では、SOFCと、SOFCに連結されたＨ２濃縮回転吸着モジュールとを含む電流発生システムが提供される。固体酸素燃料電池は任意の圧力で作動するよう設計され、約 1 バール乃至5バールの動作圧力が本開示システムでは好適である。本開示発明は特に、天然ガスの如き炭化水素燃料を用いる高温SOFC燃料電池電力設備に適用される。追加の実施例では、燃料電池陽極チャンネル入口に入れられる前に、燃料は第１の回転吸着モジュールによって陽極排気ガスから分離された水素濃厚と混合され、この分離は好適には、後‐リフォーミングと水性ガスシフト反応を受けた後に行われ、陽極排気ガスが水素濃度を上げる一方、一酸化炭素を二酸化炭素に酸化させるようになす。
【００４３】
炭化水素燃料として天然ガスが重要な場合には、陽極供給ガスは望ましくは、メタンと、多量の過剰のリサイクル水素を含む混合物からなる。過剰の水素はメタン分解反応によってすすの析出を阻止し、かくして陽極供給ガス中に最少限の蒸気量を有してSOFCの安全作業を可能にする。もしリサイクル水素濃度が高レベル（例えば陽極供給ガスの約 85 − 90％）に維持されるならば、陽極供給ガス中の蒸気量は非常に低く、又は実質上ゼロに近くなる。陽極供給ガス中の蒸気濃度を最少限とする利益には下記のものが含まれる：
１．Ｈ２対Ｈ２Ｏの高い初期比率は電圧効率と出力を改善するためにネルンスト(Nernst)電位 を上げる。
2.  メタンは蒸気リフォーミングによって燃料電池反応のための化学的シンクとして作用し、かくして陽極チャンネルに沿ってＨ２対Ｈ２Ｏの高比率を維持するのを助ける。
3.  Ｈ２Ｏは燃料電池酸化反応によって供給されるので、ＣＯとＨ２へのメタン転換が陽極チャンネルに沿って遅らされ、かくして陽極入口における過度に急速な吸熱反応蒸気リフォーミングに由来する急な温度勾配を軽減する。
4..  低蒸気濃度はCH4とＣＯのＣＯ２への転換を阻止し、かくして陽極チャンネル内の蒸気リフォーミング反応が、全熱バランスを改善するために燃料電池の廃熱を取り上げるために最も高い吸熱となることを保証する。
【００４４】
対照してみると、従来技術の内部的にリフォーミングするSOFC燃料電池は典型的には、カーボン析出を抑制するために、陽極供給ガス中に実質的な蒸気/カーボン比率をもって作動し、かくして燃料電池電圧性能を低下させる。この従来技術は典型的には、燃料が陽極チャンネルに入るときの過度に急速な吸熱蒸気リフォーミングに由来する陽極入口の過剰な冷却と急な温度勾配を避けるために、燃料天然ガスの実質的に少量のリフォーミングを要求する。
【００４５】
陽極排気ガスは典型的には、若干の未反応のメタンと、かなり少量の一酸化炭素を含む。本開示されたシステムとプロセスは、蒸気が陽極排気ガスに追加され、そのガスが次いで、高温で断熱後−リフォーマーへ入れられ,同時に、後−リフォーマーのための外部熱交換を必要としないように、発熱水性ガスシフト反応で吸熱蒸気リフォーミング反応を行うことを、随意に提供する。
【００４６】
上記特徴と利益は添付図面に基づく幾つかの実施例についての以下の詳細な説明から更に明らかになるだろう。
【００４７】
数個の実施例についての詳細な説明
置換パージ再生をなす水素−濃縮回転吸着モジュールを図 1 − 4 につき以下に説明する。本文中で使用する“回転吸着モジュール”は、1つの配列をなした吸着器が固定した弁面又は固定子に対して回転する装置、又は弁面又は固定子が１つの配列をなした吸着器に対して回転する装置の何れかを含むが、これらに限定されるものではない。図示の実施例は回転子に取り付けられた吸着器をもち、この回転子は固定した弁面をもつ固定子であるハウジング内にある。
【００４８】
図１は回転吸着モジュール１を示し、このモジュールは“Ｎ”個の吸着器３又は吸着器ハウジング本体４内にある吸着器チャンネル３を含む。各吸着器は第１端５と第２端６をもち、それらの間の流路が吸着剤に接触しており、この吸着剤にガス成分Ｂが、あまり容易に吸着されない成分Ａおよび成分Ｃと比べてより容易に吸着される。吸着器は吸着器ハウジング本体の軸線７の回りに線対称配列をなして展開している。ハウジング本体４は軸線７の回りに相対的回転運動をなし、第１と第２の機能本体８と９は第１弁面１０を横切って第１機能本体８と掛合し、この第１機能本体８に成分ＡとＢを含む第１ガス混合物が第１セクター内に供給され、そしてその第１機能本体から成分ＢとＣを含んだ第２ガス混合物が第２セクターから、かつ第２機能本体９をもつ第２弁面１１を横切って引き出され、第２機能本体９から成分Ａを濃縮した第１又は軽質製品が第１セクター内に引き込まれ、そしてその第２機能本体へ成分Ｃを含む置換パージ流が第２セクター内に供給される。
【００４９】
特に図１−５に示す実施例では、吸着器ハウジング４は回転し、今後、これは吸着器回転子４と称する。一方、第１と第２の機能本体は定置しており、そして一緒にモジュールの固定子組立体1２を構成している。第１の機能本体は今後、第１弁固定子８と称し、そして第２機能本体は今後、第２弁固定子９と称する。他の実施例では、吸着器ハウジング４は定置しており、一方、第１と第２の機能本体は回転分配器弁回転子である。
【００５０】
図１−４に示す実施例では、吸着器を通る流路は軸線７に平行であり、従って流れ方向は軸方向であり、一方、第１と第２の弁面は軸線７に垂直な平らな環状ディスクとして示されている。しかし、更に一般的には、吸着器内の流れ方向は軸方向か、又は径方向か、又はそれらの合成方向とすることができ、第１と第２の弁面は軸線７を中心とした、平面形、円錐形、円筒形等を含む任意の回転形体に従って形作られる。プロセスのステップ及び定義されるべき機能区画は吸着器中の径方向の流れ方向又は軸方向の流れ方向にかかわらず、同じ角度関係にある。
【００５１】
図２−４は矢印12’ −13’、14’−15’、及び16’−17’ によって規定された平面内のモジュール１の横断面である。各セクション内の矢印２０は回転子４の回転方向を示す。
【００５２】
図２は図１を横切った断面12’ −13’を示し、この断面は吸着器回転子を横切っている。この場合、“N”= ７２である。吸着器３は吸着器ホイール２０８の外壁２１と内壁２２間に取り付けられている。図示された特定の実施例の各吸着器は吸着剤シート２３の方形の平らなパック３からなり、この場合、軸方向に流れチャンネルを限定するためにシート間にスペーサ２４をもつ。分離器２５は空隙スペースを充填しかつ吸着器間の漏れを防止するために吸着器間に備える。パック３は吸着剤の容積詰めを改善するために径方向に先細状をなしている。別の実施例では、吸着器は同心状の螺旋状に巻かれた形状に向いた吸着剤積層物の複数層、又は適当なモノリシック(monolithic)構造、又は代案として、ビード付きの又は他の粒状の吸着剤配置を構成する。
【００５３】
図１に示す如く、吸着器３は流れチャンネルの第１端５と第２端６の間に複数の別個の区域を含み、ここでは、夫々第１端５に隣接した第１区域２６と、第２端６に隣接した第２区域２８の２つの区域として示されている。吸着剤の別個の区域の代案として、異なった吸着剤が、ガス流路に沿って吸着剤の濃度勾配が変化する層又は混合物内に準備される。１吸着剤から他の吸着剤への移り変わりは１つの明瞭な移り変わりよりはむしろ２つの吸着剤が混和された混合物とすることができる。他の選択は均質であるか又は均質でない異なった吸着剤の１混合物を提供することである。
【００５４】
約 250°Cまでの周囲温度で作動するH2吸着分離器の場合、第１区域は、水又はメタノール蒸気及び幾つかの二酸化炭素の如き供給ガス混合物の非常に強く吸着された成分を除去するために選択された吸着剤又は乾燥剤を含む。第２区域は、二酸化炭素のバルク分離のために典型的に選択された吸着剤を含む。
【００５５】
約 250°C 乃至約 500 °Cで作動するH２PSAの場合、第１区域は上記の如く水蒸気に比してCO2を優先的に吸着する吸着剤を含む。第２区域は水蒸気にひして優先的にCOを吸着する吸着剤（例えばゼオライト、Cu（１）含有物質、又はAg（１）含有物質）を含む。１実施例に従えば、CO2‐選択吸着剤及びCO‐選択吸着剤は２つの別個の区域よりむしろ単一区域に一緒に含まれ又は混入される。
【００５６】
吸着剤シートは補強材料又は基質(例えばガラス繊維、金属フォイル、又は金網）を含み、この材料に吸着剤材料が適当な結合剤を用いて付けられる。満足な吸着剤シートは基質上にバインダー成分でゼオライト結晶のスラリーを被覆することによって作られる。成功例には不織形式の繊維ガラススクリム、織成形式の金属（ワイヤメッシュ）織物、及びエキスパンデッドアルミニュームフォイルが含まれる。スペーサは吸着剤シートに隆起したパターンをプリント又は型押しすることによって又は吸着剤シートの隣接した対間に組立てられたスペーサを置くことによって、準備される。代案としての満足なスペーサは、織成形式の金属（ワイヤメッシュ）スクリーン、不織形式の繊維ガラススクリム、及び写真平版パターンにエッチングした流れチャンネルをもつ金属フォイルとして準備される。層状の吸着剤シート材料の吸着器は平らな又は湾曲したシートを積み重ねることによって又は螺旋状巻物を形成することによって作られ、所望形状の吸着器ハウジングの容積を実質上充填するために、シート間の流れチャンネルは吸着器の第１端からその第２端まで延びている。詰められた螺旋状に巻かれた吸着剤をもつ方法と構造の例は２００２年１月７日出願の、共同所有の同時係属のU.S.特許出願第10/041,536号中に開示されている。この出願は参考として本願に組み込まれるものとする。
【００５７】
典型的な実験シートの厚さは約 100 − 300 ミクロン間で変わり、スペーサ高さは約 75 乃至 200ミクロンの範囲内にまた、吸着器の流れチャンネル長さは約 10 cm乃至ほぼ 30 cmの範囲内にある。
【００５８】
本発明の他の実施例では、吸着器は吸着剤シートの螺旋状巻物の１配列と上述のスペーサとして準備され、上記配列は回転子内に支持されている。
【００５９】
代案として、吸着器は回転子ハブの回りに吸着剤シートの単一の螺旋状巻物を巻き、そして壁２１に環体を満たすことによって形成される。隣接した吸着剤シート層間のスペーサは、シート間に軸方向流れチャンネルを設定しそして第１端５と第２端６の間に延びる縦のスペーサ又は波形によって形成され、一方、スペーサ又は波形は流れチャンネルを横切る流れを又は隣接する流れチャンネル間の流れを防止する。その結果、かかる各流れチャンネルは吸着剤集団を通る近隣の流れチャンネルから隔離され、そして小さい独立した吸着剤として役立つ。この取り組み方では、独立した吸着剤の数Ｎは極めて大きくなる。
【００６０】
また代案として、吸着器はモノリス(monolith)内の、例えバッファーニカムの室壁(cell walls)上にウオッシュコートされた(washcoated)吸着剤をもつハニカムコーディエライト(cordierite)滲出物(extrudate)内の流れチャンネルとして提供される。回転子は単一の滲出物セクションから又は回転子上に支持されたかかるセクションの１配列から形成される。
【００６１】
すべての場合、吸着器及び回転子は協働する流体密封手段で組立てられて、吸着器の第１と第２の端間の実質上すべての流体流が吸着器中の流れチャンネルを通るようにされ、従ってバイパス漏れは避けられるようにされる。
【００６２】
図３は矢印  14’ ‐ 15’、及び 16’ ‐ 17’ によって限定される夫々の平面内にある第１と第２の弁面内の回転子４のポート配置(porting)を示す。吸着器ポート３０は各吸着器の第１と第２の端から夫々の第１と第２の弁面へ直接流体連通する。各ポート３０は各吸着器のために幾つかの小形ポートによって同等に準備される。
【００６３】
図４は、第２弁面１１内と矢印16’ ‐ 17’ によって限定された平面内の第２固定子９の弁面１０１と同様に、第１弁面１０内と矢印  14’ ‐ 15’ によって限定された平面内の第１固定子８の典型的な固定子弁面１００を示す。矢印２０は吸着器回転子による回転方向を示す、円周シール１０６と１０７間の環状弁面では、外部導管に開口する第１固定子弁面１００の開口面積は開けた角度セクター１１１−１１６によって示される。これらのセクターは同じ参照数字１１１−１１６によって示される機能区画に直接連通する第１機能ポートに対応する径方向シール１１８によって分離される。セクター１１３は第１バッファー(buffer)ステップ用に使用される。セクター１１４は第２バッファーステップ用に使用される。もし圧力スゥイングが置換パージ再生を増すために使用されるならば、セクター１１５は加圧ステップのために備えられ、そしてセクター１１６は減圧ステップのために備えられる。同様に、外部導管に開口する第２固定子弁面１０１の開口面積（図５、７及び９に示される如きもの）は開けた角度セクター１２１−１２６によって示され、これらのセクターはまた、同じ参照数字１１１−１１６によって示される機能区画に直接連通する第１機能ポートに対応する径方向シール１１８によって分離される。典型的な径方向シール１１８は隣接セクターに開いている間吸着器のための転移を提供する。漸進的開きはスリッパーと密封面間の先細の隙間チャンネルによって提供され、新しい区画に開かれる吸着器の緩やかな圧力均等化を達成する。ずっと広い閉鎖したセクターは、加圧又は減圧ステップが他端から行われているとき、吸着器の一端への又はそこからの流れを実質上止めるために準備される。
【００６４】
図１へ戻れば、第１弁面１００では、供給ガス（成分ＡとＢを含む第１ガス混合物）は矢印１２５によって示される如く、第１セクター１１１に供給される一方、重質製品（成分ＢとＣを含む第２ガス混合物）は矢印１２６で示される如く第２セクター排出される。第２弁面１０１では、第１の又は軽質製品ガス（成分Ａ中に濃縮されている）矢印１２７で示される如く、第１セクター２１１から送出される一方、置換パージガス（成分Ｃを含む）は矢印１２８で示される如く、第２セクター１２２へ供給される。
【００６５】
回転子は第１固定子８内の回転子駆動シャフト１６２上にシャフトシール１６１をもつ軸受１６０によって支持され、この固定子は第１と第２の弁固定子と一体に組立てられる。吸着器回転子は例示の回転子駆動手段によって駆動される。
【００６６】
図５及び図６
図５は、第１のバッファーパージガスとして置換パージガスをもちそして第２パージガスとして供給又は第１ガス混合物をもつ実施例の第１と第２の固定子弁面１００と１０１を示す。図５および図７と９では、第１と第２の固定子弁面はセクション矢印14’−17’ によって示される１方向で見ており、従って第１固定子弁面は背後から見ている一方、第２弁面は正面から見ている。図６は軸線７の回りにおける 0°乃至 360 °の角度範囲を含む円周セクション内において吸着器を通る流れのパターンを示す。図６，８及び１０の吸着器３を横切る破線はガス混合物ＡとＢ，ＢとＣ、及び成分ＡとＣ間の濃度フロントを表す。特に、破線１７５は該サイクル間中の二酸化炭素濃度フロントの動きを示す。
【００６７】
第１のバッファーパージガスは第２弁面１０１中のセクター１２３に弁180によって入れられ、そしてガスを第１弁面中のセクター１１３から協働する熱回収手段１８３をもつバーナ１８２へ置き換える。第２バッファーガスは弁１８５によって第１弁面１００中のセクター１１４に入れられ、そしてガスを第２弁面中のセクター１２３から協働する熱回収手段１８３をもつバーナ１８２へ置き換える。熱回収手段はオキシダントと、燃料電池、又は蒸気発生器、又は内燃機関、又はガスタービン、又はスターリング機関へ供給される燃料流を余熱する熱交換器とする。
【００６８】
図７と図８
図７は第１と第２のバッファーパージガスとしてリサイクルされた煙道ガスをもつ実施例の第１と第２の固定子弁面１００と１０１を示し、この煙道ガスはバッファーパージガスの燃焼によって得られ、従って未結合の成分Cが第１のバッファーパージガスから除かれ、そして未結合の成分Aが第２のバッファーパージガスから除かれる。図８は軸線７の回りに約 0 °乃至 360 °の角度範囲を含む円周セクション内の、吸着器を通る流れパターンを示す。
【００６９】
バッファーガス流は第１弁面１００に入り、第１バッファー流はセクター１１３を通り、第２バッファー流はセクター１１４を通る。第１バッファー流の一部は、最初に入る置換パージ流によって置き換えられた後に、セクター１１３’  から再循環してセクター１１３へ戻る。
【００７０】
第１バッファー流はセクター１２３から送風機又は真空ポンプによって引き出され、そして第２バッファー流は送風機又は真空ポンプ１８７’  によってセクター１２４から引き出される。バッファー流は協働する熱回収手段１８３をもつバーナ１８２を通過し、そして次いで、排出導管１９０を通して過剰の水を排除するために凝縮器１８９を通る。第１と第２のバッファー流の完全な又は部分的な分離は、ダッシュ記号を付した仕切り１９１と１９２によって示される如く、バーナ１８２と凝縮器１８９を通して維持され、従って仕切り１９１の両側の燃焼条件は、第１バッファーパージガスから未結合成分Cを除くために、第１バッファー流側に濃厚な燃料が、そして第２バッファーパージガスから未結合成分Aを除くために、第２バッファー流側には乏しい燃料がほぼ維持されることになる。代案として、第１と第２のバッファー流は、単一の送風機及び/又は真空ポンプ１８７を通して、そして未結合成分AとCの両者が失われるようバーナ内に厳密に化学量論的な燃焼条件を維持することによって、バーナと凝縮器を通して混合される。バーナはすべての条件下で満足なかつ十分に完全な燃焼を達成するために触媒燃焼器とすることができる。
【００７１】
図９及び図１０
図９は圧力スゥイングと置換パージ再生の組合せと、第１と第２のバッファーパージガスとしてリサイクルされた煙道ガスをもつ実施例の第１と第２の固定子弁面１００と１０１を示す。図１０は軸線７の回りに 0 °乃至 360 °の角度範囲を含む円周セクション内で、吸着器を通る流れパターンを示す。
【００７２】
第１固定子弁面１００には、供給加圧ステップのためにセクター１１５が使用されて、供給ガス混合物がオリフィス又は圧力減少拘束器１９３を通して導入される一方、セクター１１６が第１バッファーステップに先立つ減圧のための向流ブローダウンステップのために使用される。第２固定子弁面１０１では、セクター１２５が導管１９５とセクター１２６をもつ拘束器１９３を通る軽還流（圧力均等化）による再加圧ステップを提供し、このセクターは対応する減圧ステップを提供する。セクター１２５′は、導管１９５′と対応する減圧ステップを提供するセクター１２６′をもつ拘束器１９６′を通る軽還流により、もう１つの再加圧ステップを提供する。
【００７３】
弁面１００の伸長した閉鎖セクターは、面１０１の軽還流セクター１２５、１２５′、１２６、及び１２６′に対向する広い径方向シール（例えば１９７、１９７′）として備えられる。同様に、広い径方向シール（例えば１９８、１９８′）は供給物加圧セクター１１５と、面１００の向流ブローダウンセクター１１６に対向する弁面１０１の閉じたセクター内に設けられる。また、図１０においても、セクター１１１、１１５、１１６、１２５、１２５′、１２６、及び１２６′に先行する径方向シールは回転子面とこれらのセクターに入る夫々のシール間に先細状のすき間間隙（例えば１９９）をもち、そのため各吸着器が対応するセクターと整合するとき、先細状のすき間に絞り入る流れによって円滑な加圧と減圧の移り変わり提供するようになることが認められる。
【００７４】
もし望むならば、濃縮成分Bの軽還流を使用するパージステップは成分Cを含む置換パージステップに加えて含まれることができる。
【００７５】
図１１−１６
以下の実施例は固体酸化物燃料電池発電設備への本発明の応用を示す。SOFC積重ね体３０２は陽極チャンネル３１２と陰極チャンネル３１４の間に介在させた固体酸化物電解質膜３１０を含む。陽極チャンネルは、陽極排気導管３１９と陽極戻り導管３１９′を含む陽極ループによって接続された入口３１６と出口３１８をもつ一方、陰極チャンネル３１４は入口３２０と出口３２１をもつ。もし燃料が天然ガスであれば、それは陽極チャンネル３１２内で内部的にリフォームされる一方、適当な過剰の濃度のリサイクルされた水素と好適には若干の蒸気がカーボンの析出を阻止するために、陽極ループ１１９内に維持される。
【００７６】
本発明の第１回転吸着モジュール１は水性ガスシフトされかつ冷却された陽極排気ガスを、導管１３０内の供給ガス混合物として、陽極出口３１８、第１回収熱交換器３２２、水性ガスシフト反応器３２４、第２復熱装置３２６、及び水回収凝縮器３２８から受け取る。水性ガスシフト反応器は典型的には、約 200 °C乃至約 400 °Cの範囲内の出口温度をもつ。過剰の水は導管３２９によって排出される。第１回転吸着モジュール１の軽質製品としての水素濃縮ガスは、導管１３２によってリサイクルファン３３０へ送出され、その後、濃縮水素リサイクル流が送入導管３３６によって陽極ループへ供給される供給天然ガスに合流する。陽極リサイクルガスは、陽極入口３１６へ入る前に、復熱装置３２６、３２２内で再加熱される。
【００７７】
供給空気は送入導管３４０によって空気供給送風機３４１へ、次いで復熱装置３４２によって陰極入口３２０へ入れられる。無効化した（窒素濃縮した）陰極排気空気が陰極出口から随意の熱ハット回収熱交換器３４４へ、排出され、そして導管３４６によって復熱装置３４２を通って戻され、この導管は第１回転吸着モジュールの置換パージ入口導管１３３に連通している。無効化した空気と二酸化炭素を含む消費された置換パージガスは導管１３１によって排気管３５０へ排出される。
【００７８】
図１１では、バッファーパージ流が、上述の図５と図６につき説明した如く、供給ガス混合物と置換パージガスから供給される。バッファー排気はモジュール１からくる導管３５２によって概略的に示されている。消費されたバッファーパージガスは熱回収手段１８３をもつバーナー１８２内で燃やされ、そして煙道導管３５５によって排出される。
【００７９】
図１２は、図７と８について示す如く、バッファーパージガスとしてリサイクルされた煙道ガスを使用する同様の実施例を示す。消費されたバッファーパージガスは熱回収手段１８３をもつバーナ１８２内で燃やされ、余分の水が凝縮器１８９と水排出導管１９０によって除去され、そして煙道ガスが概略示された戻し導管３６０によってモジュール１内のバッファー入口セクターへリサイクルされる。
【００８０】
図１３は、水蒸気の少部分（反応器３２４内における水性ガスシフトステップの後に陽極排気流内に残っている）を導管３１９から陽極戻し導管３１９′へ移送するために第２の回転吸着モジュール３８０を使用すること、及び置換パージガスとして真空下で使用するために濃縮酸素を陰極及び窒素濃縮排気へ提供するためにＶＰＳＡユニットを使用することを含む２つの独立した特徴構成を示す。この例では、バッファーパージガスは導管１３０中の供給ガス混合物と  導管１３３中の置換パージガス（これは酸素ＶＰＳＡの酸素無効化排気となる）から提供される。
【００８１】
第２回転吸着モジュール３８０は回転弁面３８２と３８３をもつ第１と第２の端に掛合した吸着器回転子３８１を含む。それは、水性ガスシフト反応器出口のものとすることができる作動温度にある二酸化炭素及び他の陽極ガス成分と比較して水蒸気に高い選択性を有する吸着剤を使用する。
【００８２】
図１３では、濃縮酸素は酸素ＶＰＳＡユニット４００及び随意の酸素製品圧縮器から陰極チャンネル入口３２１に、復熱装置３２６と３２２を通る導管４０２によって直接送出される。ＶＰＳＡユニットは、高酸素純度を得るために回転吸着器モジュール４０４と軽還流ループ４０６を含む。窒素濃縮排気は導管１３３に連通する導管４０８によって真空下で送出される。モータ又はエンジン４１０は供給送風機３４１と真空ポンプ４１２を駆動し、この真空ポンプは導管１３１からくる消費した置換パージガスとして排出二酸化炭素をもつ窒素濃縮排気を吸引する。
【００８３】
真空ポンプ排出物は、すべての残留可燃焼成分を除去するために排出導管４１４によって触媒バーナ４１６（熱回収手段１８３と協働して）を通過させられる。排気陰極ガスは導管４４０によって陰極チャンネル出口３２０から燃焼器１８２へ運ばれ、かくしてバッファーガスバーナに濃縮オキシダントを提供しその上陰極チャンネルから熱を回収する。
【００８４】
図１１乃至１３では、第１の回転吸着モジュールは、供給ガス混合物から余分の水を凝縮させた後、周囲温度の直ぐ上で作動する。図１４乃至１６は、第１回転吸着モジュールが水シフト反応器出口の温度と一致する高温で作動する実施例を示す。吸着剤は二酸化炭素の選択度と水蒸気に対する感度について選択される。適当な吸着剤の１例はカリウム増進ハイド回転子ルサイト(hydrotalcite)である。比較的高温での二酸化炭素の除去は、復熱装置３２６内の流れと熱交換負荷（load)を減らす。
【００８５】
図１４乃至１６では、導管１３２内の軽質製品流（濃縮水素）はエゼクター５００内で再結合される第１と第２のリサイクル流に分けられる。エゼクター５００はノズル５０１、吸引入口５０２、混合域５０３、及び拡散器５０４をもつ。第１リサイクル流は、導管５１０によって吸引入口５０２へ直接運ばれる。第２リサイクル流は復熱装置３２６、凝縮器３２８、リサイクル送風機３３０を通過させられ、そして送入導管３３６から復熱装置３２６を通ってエゼクターノズル５０１へ戻るよう供給する。送風機３３０がエゼクター５００を作動させるためにノズル５０１を通して駆動エネルギーを提供することは分かるだろう。
【００８６】
図１４では、導管３２９内の水凝縮物の小部分が、導管５２２によって復熱装置５２０を通り、次いで水性ガスシフト反応器３２４内の蒸気発生器コイル５２４へ、そして導管３６０を経てバッファーパージとして使用される蒸気として運ばれる。消費されたバッファーパージ蒸気は導管３５２によってバーナ１８２へ運ばれる。
【００８７】
図１５及び１６では、蒸気発生器コイル５２４からくる蒸気の一部分は陽極ガスループへ導管５３０によってリサイクルされる。図１５では、導管５３０は蒸気を復熱装置３２２を通して後‐リフォーマー反応器５４０へ運ぶ。この反応器は出口３１８から出る陽極排気ガス中の未反応のメタンと未反応の一酸化炭素の一部分を断熱的に変換する。後‐リフォーマーは蒸気メタンリフォーミング又は高温水性ガスシフトに有効な既知の触媒の何れかを使用する。代案として、導管５３０は、復熱装置３２２を通過させることなく、蒸気を単に水性ガスシフト反応器５２４の入口内へ導入する。この蒸気の追加、及びその結果達成されるより大きな程度の水性ガスシフトは、陽極ループからの水の除去を助けるために水素回収を最大限となすために、またより効果的な除去のために導管１３０中の二酸化炭素濃度を上げるために、極めて望ましい。別の重要な利益は、極めて望ましいこととして陽極チャンネル内のカーボン析出の危険性を減らすために及び陽極入口内の蒸気の最小濃度をもつカーボン‐フリーの操作を簡単化するために、陽極戻し導管３１９′からくる一酸化炭素を最大限に除去することである。
【００８８】
図１６は、導管５３０からくる蒸気が、供給燃焼を合成ガス（水素及び一酸化炭素）に部分的に変換するばかりでなくその合成ガスの一部をメタン化するために前‐リフォーマー５５０へ供給され、その結果燃料電池の陽極チャンネル内にすすが析出する危険性を減らすためにより高い炭化水素が少なくとも部分的にメタンに変換されるという構成を示している。前‐リフォーマーはまた、カーボン析出に対する安全性の限界を広げるために、第１の回転吸着モジュール内における二酸化炭素の除去の後に一酸化炭素を最少限となすための水性ガスシフトの平衡を再‐設定する。前‐リフォーマーは、不純物を送る公差について選択することができ、メタン化反応を促進するために約 400 °C乃至約 600°Cの範囲内の比較的低い温度で操作し得る蒸気リフォーミング触媒を使用するだろう。前‐リフォーマーは、吸熱蒸気リフォーミング反応と発熱メタン化反応間に少なくとも部分的熱バランスを有する状態で断熱的に動作する。本発明では、メタンは燃料電池反応によって生じた水のためのスカベンジャー（蒸気リフォーミングによって）として作用するので、メタンは陽極供給物の望ましい成分である。第１回転吸着モジュールからくるリサイクル水素は、図１６に示す如く供給燃料と共に前リフォーマーを通過させられるか、又は代案として、前‐リフォーマーを通過することなく陽極入口３１６へ直接バイパスさせられる。
【００８９】
蒸気は前‐リフォーマー内の蒸気リフォーミングおよびコーキング抑制のために十分な濃度で前‐リフォーマー５５０の入口へ追加されなければなない。
【００９０】
水蒸気は、導管３１９と３１９′間に連結された乾燥剤湿気交換器として動作する第２の回転吸着モジュール３８０（図１３に示される如く）によって何れかの実施例中の陽極ループを横切って運ばれる。
【００９１】
ヒートエンジンはバッファーガス燃焼に付随する熱回収手段１８３から入手し得る廃熱又は燃料電池積重ね体の熱交換器３４４からくる廃熱又は発熱水性ガスシフト反応器からくる廃熱を回収するための熱ボトミングシステムとして使用される。若干の廃熱は反応物を予熱するためにかつ熱交換器ロスを克服するために使用されるが、ファン、送風機および真空ポンプの如きプラント補助装置を駆動するために、そして多分送出用に補足的動力を送出するために、補足的なヒートエンジン用の有用な領域が存在する。
【００９２】
本発明の水素濃縮と随意の酸素濃縮の特徴は燃料電池の電圧効率と積重ね体電力出力を上げるために役立つので、すべての送出電力は燃料電池積重ね体によって送出され、それ故ヒートエンジンはプラント補助装置を駆動するためにのみ使用されるのが好ましい。
【００９３】
エンジン４１０は、陽極及び/又は陰極ガスとの間接熱交換によって、および第１ＰＳＡユニットからくる重質製品排気ガスの燃焼によって、及び/又は補足的天然ガス燃料の燃焼によって加熱されるその動作流体として空気を使用するガスタービン（2001年10月26日出願の同時係属出願の“燃料電池用のエネルギー効率のよいガス分離”の或る実施例における如きもの、その内容は参考として本文に組み込まれるものとする）である。
【００９４】
代案として、陽極ガス混合物は、例えば復熱装置ガスタービンによって、燃料電池積重ね体熱回収熱力学的サイクル用の動作流体として直接使用される。このことは特に、酸素ＶＰＳＡユニットが陰極オキシダント流として濃縮酸素を濃縮するために使用されるときに魅力的である。ガスタービンはこのとき、酸素分離ユニットを作動するエンジン４１０として役立ち、そして好適には、ターボチャージャ構造体に適用されるだろう。
【００９５】
エンジン４１０は、水素および他の燃料価値を含む使用済みのバッファーガスを及び/又は補足的天然ガス燃料を補給された内燃機関とすることができる。代案として、エンジン４１０は任意の型式の外燃機関、例えば、蒸気機関、又はスターリングエンジンとすることができる。第１の回転吸着モジュールは濃縮水素を発生するので、熱回収手段は有利には、水素作動流体を用いるスターリングエンジンとすることができる。
【００９６】
開示したシステムおよびプロセスには本文の開示内容から離脱しない多くの他の代案および変形があるのは明らかであろう。
【００９７】
SOFC発電設備では、開示されたシステムとプロセスは陽極内の水素対蒸気分圧の比を増すことによって電力発生能力を高めることができる。燃料のより低い加熱値に基づいて予測される効率は、天然ガスを補給される燃料電池電力設備では約 65 ％乃至約 75 ％の範囲内にある。開示されたシステムとプロセスはまた、有効に発生させられる電力、純化された水素および建物暖房又は家庭用熱水設備に適した低品質の廃熱の共同発生を容易にする。
【００９８】
幾つかの実施例につき開示発明の原理を図示し説明したが、発明の原理から逸脱することなく本発明の配置や細部を変更できることは当業者には明らかであろう。
【図面の簡単な説明】
【００９９】
【図１】回転吸着モジュールの軸方向断面を示す図である。
【図２】図１のモジュールの横断を示す図である。
【図３】図１のモジュールの横断を示すもう１つの図である。
【図４】図１のモジュールの横断を示す更に他の図である。
【図５】図１のモジュールの別のバッファーステップパージ構造を示す図である。
【図６】図１のモジュールの別のバッファーステップパージ構造を示すもう１つの図である。
【図７】図１のモジュールの別のバッファーステップパージ構造を示す更に他の図である。
【図８】図１のモジュールの別のバッファーステップパージ構造を示す更に他の図である。
【図９】図１のモジュールの別のバッファーステップパージ構造を示す更に他の図である。
【図１０】図１のモジュールの別のバッファーステップパージ構造を示す更に他の図である。
【図１１】陽極排気ガスから水素を濃縮しかつリサイクルするために回転吸着モジュールを使用する別のSOFC電力設備の実施例の簡単化した概略図である。
【図１２】陽極排気ガスから水素を濃縮しかつリサイクルするために回転吸着モジュールを使用する別のSOFC電力設備のもう１つの実施例の簡単化した概略図である。
【図１３】陽極排気ガスから水素を濃縮しかつリサイクルするために回転吸着モジュールを使用する別のSOFC電力設備の更に他の実施例の簡単化した概略図である。
【図１４】陽極排気ガスから水素を濃縮しかつリサイクルするために回転吸着モジュールを使用する別のSOFC電力設備の更に他の実施例の簡単化した概略図である。
【図１５】陽極排気ガスから水素を濃縮しかつリサイクルするために回転吸着モジュールを使用する別のSOFC電力設備の更に他の実施例の簡単化した概略図である。
【図１６】陽極排気ガスから水素を濃縮しかつリサイクルするために回転吸着モジュールを使用する別のSOFC電力設備の更に他の実施例の簡単化した概略図である。
【図１】
2006505095.tif 000004
【図２】
2006505095.tif 000005
【図３】
2006505095.tif 000006
【図４】
2006505095.tif 000007
【図５】
2006505095.tif 000008
【図６】
2006505095.tif 000009
【図７】
2006505095.tif 000010
【図８】
2006505095.tif 000011
【図９】
2006505095.tif 000012
【図１０】
2006505095.tif 000013
【図１１】
2006505095.tif 000014
【図１２】
2006505095.tif 000015
【図１３】
2006505095.tif 000016
【図１４】
2006505095.tif 000017
【図１５】
2006505095.tif 000018
【図１６】
2006505095.tif 000019
【国際調査報告】
2006505095.tif 000020
2006505095.tif 000021
2006505095.tif 000022